(57)【特許請求の範囲】
【請求項１】
ディジタル通信回線に接続して通信相手と音声通話を行うディジタル通信装置において、
送話音声を入力する送話音声入力手段と、
前記送話音声入力手段からの送話音声を送信ディジタル信号に変換して前記ディジタル通信回線を介して通信相手へ送信すると共に、該通信相手から受信した受信ディジタル信号を受話音声に変換する通信回線インターフェイス手段と、
前記送話音声および受話音声に含まれるＤＴＭＦ信号を抽出し、対応するキー数字を出力する選択信号受信解析手段と、
前記選択信号受信解析手段から出力されたキー数字を処理するキー数字処理手段と、
前記通信回線インターフェイス手段を介して、交換機および通信相手との間で呼制御信号を送受して呼制御を行うと共に、呼状態に応じて前記選択信号受信解析手段へ供給する音声信号、および、前記選択信号受信解析手段から出力されるキー数字の出力経路を切り替えるための切替信号を出力する呼制御手段と、
前記呼制御手段から出力される切替信号に従って、前記選択信号受信解析手段へ供給する音声信号を、前記送話音声または前記受話音声に切り替える第１の切替手段と、
前記呼制御手段から出力される切替信号に従って、前記選択信号受信解析手段から出力されるキー数字を、相手番号入力として前記呼制御手段へ、または、キー数字入力として前記キー数字処理手段へ、出力する第２の切替手段とを有し、
前記呼制御手段は、前記第１，第２の切替手段に対し、
待機状態から発呼完了するまでの間は、前記選択信号受信解析手段に対して送話音声を入力させると共に、前記呼制御手段に相手ダイヤルを出力させる切替信号を出力し、
呼接続から呼切断までの間は、前記選択信号受信解析手段に対して受話音声を入力させると共に、前記キー数字処理手段にキー数字を出力させる切替信号を出力することを特徴とするディジタル通信装置。
【請求項２】
前記送話音声入力手段として、ユーザからの送話音声を直接入力する送話器を用いることを特徴とする請求項１に記載のディジタル通信装置。
【請求項３】
前記送話音声入力手段として、内線アナログインタフェースを介したアナログ電話機の送話音声を入力する内線アナログインタフェースを用いることを特徴とする請求項１に記載のディジタル通信装置。
【請求項４】
前記キー数字処理手段として、選択信号受信解析手段からの受信電文を意味するキー／数字をそのまま、または、変換して表示する受信電文表示手段を用いることを特徴とする請求項１から３のうちいずれか１項に記載のディジタル通信装置。
【請求項５】
前記キー数字処理手段として、選択信号受信解析手段からの制御信号を意味するキー／数字に従って各種装置を制御する内部制御手段を用いることを特徴とする請求項１から３のうちいずれか１項に記載のディジタル通信装置。
【請求項６】
送話音声および受話音声に含まれるＤＴＭＦ信号を抽出し、対応するキー数字を出力する選択信号受信解析手段を有し、ディジタル通信回線に接続して通信相手と音声通話を行うディジタル通信方法において、
通信開始時に、送話音声を前記選択信号受信解析手段に供給し、該選択信号受信解析手段から出力されたキー数字に従って前記通信相手に対する発呼処理を行い、
該発呼処理の後、呼接続から呼切断までの間は、前記通信相手から送信されてきた音声信号を前記選択信号受信解析手段に供給し、該選択信号受信解析手段から出力されたキー数字に応じて処理を行うことを特徴とするディジタル通信方法。
【請求項７】
送話音声および受話音声に含まれるＤＴＭＦ信号を抽出し、対応するキー数字を出力する選択信号受信解析手段を有し、ディジタル通信回線に接続して通信相手と音声通話を行うディジタル通信プログラムを記録したコンピュータ読み取り可能な記録媒体であって、
通信開始時に、送話音声を前記選択信号受信解析手段に供給し、該選択信号受信解析手段から出力されたキー数字に従って前記通信相手に対する発呼処理を行うステップと、
該発呼処理の後、呼接続から呼切断までの間は、前記通信相手から送信されてきた音声信号を前記選択信号受信解析手段に供給し、該選択信号受信解析手段から出力されたキー数字に応じて処理を行うステップと
を有するディジタル通信プログラムを記録したコンピュータ読み取り可能な記録媒体。
【発明の詳細な説明】
【０００１】
【発明の属する技術分野】
本発明は、ディジタル通信回線に接続されユーザに音声通話を提供するディジタル電話機およびターミナルアダプタにおいて、経済的な回路構成で、ユーザからの音声入力による相手番号指定、および、通信相手からのＤＴＭＦ（Ｄｕａｌ  Ｔｏｎｅ  Ｍｕｌｔｉｐｌｅ  Ｆｒｅｑｕｅｎｃｙ）信号による受信電文表示機能や留守番制御機能を実現するディジタル通信装置およびディジタル通信方法ならびにその記録媒体に関するものである。
【０００２】
【従来の技術】
従来のアナログ式のプッシュ電話機から交換機には、回線の音声帯域を用いて電話機が発呼処理を行う際の通話先相手電話番号をＤＴＭＦ信号（ＰＢ音）により伝送していた。また、電話機のプッシュボタンを押す代わりに、電話機の受話器のマイク側にトーンダイヤラーと呼ばれるＤＴＭＦ信号を送出する装置を近づけ、発呼する操作を行わせる装置も普及している。また、モデムなどを接続するアナログポートからＤＴＭＦ信号の電気信号を入力することで発呼することも行われている。
【０００３】
一方、ＩＳＤＮ公衆電話機やＩＣカード公衆電話機では、電話機が発呼処理を行う際の通話先相手電話番号を電話網中の交換機へ送出するために、ＩＳＤＮ回線のＤチャネルを用いてＩＴＵ−Ｔ国際標準Ｑ．９３１勧告で規定されたＬＡＰＤ手順により通信を行っている。よって、従来の音声帯域を用いたＤＴＭＦ信号による伝送は行われてはいないが、すでに電話利用者に普及しているトーンダイヤラー等による発呼操作を、ＩＳＤＮ公衆電話機やＩＣカード公衆電話機においても許容する必要がある。
【０００４】
このため、ＩＳＤＮ公衆電話機やＩＣカード公衆電話機においては、発呼操作時に電話機の受話器のマイク側から入力されたトーンダイヤラーによるＤＴＭＦ信号またはアナログポートから入力される電気信号を入力として解析する選択信号受信解析手段を具備する必要がある。この選択信号受信解析手段は、解読したＤＴＭＦ信号を相手先番号を示すパケットデータに変換して、Ｄチャネルを経由して電話交換機へ送出している。
【０００５】
また、ディジタル通信回線においてアナログ通信装置を収容するターミナルアダプタにおいては、内線アナログインタフェース回路からＤＴＭＦ信号を送信すると、これが内部でディジタル信号化されて通信相手番号として回線に発呼される。さらに、最近の多機能電話機には、自身の機能を外出先から遠隔制御したり、文字メッセージ等を受信したりするために、ＤＴＭＦ信号を受信し解析する機能を具備しているものが多い。
【０００６】
【発明が解決しようとする課題】
ところで、ＩＣカード公衆電話機相互間の通話において、プッシュダイヤルの各ボタンの組み合わせに対して文字や数字を割り当て、プッシュダイヤルを押下した際に発生するＤＴＭＦ信号を相互にやりとりして、受信したＤＴＭＦ信号を解読することにより、文字や数字で構成されるメッセージで通信を行う機能を実現しようとする場合、前述した発呼操作時に受話器のマイクに入力されたＤＴＭＦ信号またはアナログポートから入力される電気信号を解析して相手先番号を示すパケットデータに変換する選択信号受信解析手段に加え、さらに、電話の通話中に通話の相手先から音声帯域で受信したＤＴＭＦ信号を文字または数字として解析するための選択信号受信解析手段を具備する必要が生じる。
【０００７】
本発明は上述した事情に鑑みてなされたものであり、複数の選択信号受信解析手段を具備することなく、ユーザからの送話音声による相手番号入力機能と、受話音声による情報受信機能とを併せ持つディジタル通信装置およびディジタル通信方法ならびにその記録媒体を提供することを目的としている。
【０００８】
【課題を解決するための手段】
請求項１に記載の発明は、ディジタル通信回線に接続して通信相手と音声通話を行うディジタル通信装置において、送話音声を入力する送話音声入力手段と、前記送話音声入力手段からの送話音声を送信ディジタル信号に変換して前記ディジタル通信回線を介して通信相手へ送信すると共に、該通信相手から受信した受信ディジタル信号を受話音声に変換する通信回線インターフェイス手段と、前記送話音声および受話音声に含まれるＤＴＭＦ信号を抽出し、対応するキー数字を出力する選択信号受信解析手段と、前記選択信号受信解析手段から出力されたキー数字を処理するキー数字処理手段と、前記通信回線インターフェイス手段を介して、交換機および通信相手との間で呼制御信号を送受して呼制御を行うと共に、呼状態に応じて前記選択信号受信解析手段へ供給する音声信号、および、前記選択信号受信解析手段から出力されるキー数字の出力経路を切り替えるための切替信号を出力する呼制御手段と、前記呼制御手段から出力される切替信号に従って、前記選択信号受信解析手段へ供給する音声信号を、前記送話音声または前記受話音声に切り替える第１の切替手段と、前記呼制御手段から出力される切替信号に従って、前記選択信号受信解析手段から出力されるキー数字を、相手番号入力として前記呼制御手段へ、または、キー数字入力として前記キー数字処理手段へ、出力する第２の切替手段とを有し、前記呼制御手段は、前記第１，第２の切替手段に対し、待機状態から発呼完了するまでの間は、前記選択信号受信解析手段に対して送話音声を入力させると共に、前記呼制御手段に相手ダイヤルを出力させる切替信号を出力し、呼接続から呼切断までの間は、前記選択信号受信解析手段に対して受話音声を入力させると共に、前記キー数字処理手段にキー数字を出力させる切替信号を出力することを特徴としている。
【０００９】
上記請求項１記載の構成によれば、通信相手に音声を送信する際、送話音声入力手段から入力された送話音声が選択信号受信解析手段へ供給され、選択信号受信解析手段から出力されたキー数字に従って呼制御手段が発呼処理を行い、その後、通信相手から送信されてきた音声信号に含まれるＤＴＭＦ信号が選択信号受信解析手段へ供給されて、選択信号受信解析手段から出力されたキー数字がキー数字処理手段により処理される。
待機状態から発呼完了するまでの間は、送話音声入力手段から入力された送話音声が選択信号受信解析手段へ供給され、選択信号受信解析手段から出力されるキー数字に従って呼制御手段により発呼処理が行われる。また、呼接続から呼切断までの間は、通信相手からの受話音声が選択信号受信解析手段へ供給され、選択信号受信解析手段から出力されるキー数字がキー数字処理手段により処理される。これにより、複数の選択信号受信解析手段を具備することなく、ユーザからの送話音声による相手番号入力機能と、受話音声による情報受信機能とを併せ持つディジタル通信装置が実現可能となる。
【００１２】
請求項２に記載の発明は、請求項１に記載のディジタル通信装置において、前記送話音声入力手段として、ユーザからの送話音声を直接入力する送話器を用いることを特徴としている。
【００１３】
請求項３に記載の発明は、請求項１に記載のディジタル通信装置において、前記送話音声入力手段として、内線アナログインタフェースを介したアナログ電話機の送話音声を入力する内線アナログインタフェースを用いることを特徴としている。
【００１４】
上記請求項２および請求項３記載の構成によれば、ディジタル通信回線を介して行われる通話において、すでに電話利用者に普及しているトーンダイヤラー等による発呼操作、および、上記内線アナログインタフェースに接続されたアナログ端末の通話を許容することができる。
【００１５】
請求項４に記載の発明は、請求項１から３のうちいずれか１項に記載のディジタル通信装置において、前記キー数字処理手段として、選択信号受信解析手段からの受信電文を意味するキー数字をそのまま、または、変換して表示する受信電文表示手段を用いることを特徴としている。
【００１６】
請求項５に記載の発明は、請求項１から３のうちいずれか１項に記載のディジタル通信装置において、前記キー数字処理手段として、選択信号受信解析手段からの制御信号を意味するキー／数字に従って各種装置を制御する内部制御手段を用いることを特徴としている。
ここで、各種装置とは、上記内部制御手段によって制御される装置であり、例えば、いわゆる留守番電話機能を実現するための装置（伝言を記憶するための記憶装置等）がある。また、この場合、内部制御手段は、選択信号受信解析手段から出力されるキー数字データに従って、上記記憶装置に記憶されている伝言の再生や消去等の制御を行う。
【００１７】
上記請求項４および請求項５記載の構成によれば、プッシュダイヤルを押下した際に発生するＤＴＭＦ信号を相互にやりとりして、受信したＤＴＭＦ信号を解読することにより、文字や数字で構成されるメッセージで通信を行うことができ、また、例えば、ユーザが外出先から送信したＤＴＭＦ信号により、各種装置の遠隔制御が可能となる。
【００１８】
請求項６に記載の発明は、送話音声および受話音声に含まれるＤＴＭＦ信号を抽出し、対応するキー数字を出力する選択信号受信解析手段を有し、ディジタル通信回線に接続して通信相手と音声通話を行うディジタル通信方法において、通信開始時に送話音声を前記選択信号受信解析手段に供給し、該選択信号受信解析手段から出力されたキー数字に従って前記通信相手に対する発呼処理を行い、該発呼処理の後、前記通信相手から送信されてきた音声信号を前記選択信号受信解析手段に供給し、該選択信号受信解析手段から出力されたキー数字に応じて処理を行うことを特徴としている。
【００１９】
請求項７に記載の発明は、送話音声および受話音声に含まれるＤＴＭＦ信号を抽出し、対応するキー数字を出力する選択信号受信解析手段を有し、ディジタル通信回線に接続して通信相手と音声通話を行うディジタル通信プログラムを記録したコンピュータ読み取り可能な記録媒体であって、通信開始時に送話音声を前記選択信号受信解析手段に供給し、該選択信号受信解析手段から出力されたキー数字に従って前記通信相手に対する発呼処理を行うステップと、該発呼処理の後、前記通信相手から送信されてきた音声信号を前記選択信号受信解析手段に供給し、該選択信号受信解析手段から出力されたキー数字に応じて処理を行うステップとを有するディジタル通信プログラムを記録したコンピュータ読み取り可能な記録媒体である。
【００２０】
上記請求項６および請求項７記載の構成によれば、通信開始時に入力された送話音声が選択信号受信解析手段へ供給されて、選択信号受信解析手段から出力されたキー数字に従って通信相手に対する発呼処理が行われ、発呼処理の後、通信相手から送信されてきた音声信号が選択信号受信解析手段に供給されて、選択信号受信解析手段から出力されたキー数字に応じて処理が行われる。これにより、複数の選択信号受信解析手段を具備することなく、ユーザからの送話音声による相手番号入力機能と、受話音声による情報受信機能とを実現することができる。
【００２１】
本発明は、回線インタフェースがディジタルの公衆電話機において、既存アナログインタフェースを有する端末を接続することを可能とし、かつ、通信相手からのＤＴＭＦ信号を受信解析することを可能とするため、既存のアナログインタフェースにおける回線選択信号を受信し解析する手段および切替えスイッチを有し、ディジタル通信回線における呼の接続状態に応じて、回線選択信号受信解析手段への音声入力元およびキー数字出力先を切り替えるようにしたものである。
【００２２】
ここで、トーンダイヤラーによる発呼操作を許容するための選択信号受信解析手段と、電話機間の文字通信を実現するための選択信号受信解析手段が、同時には使用されないとの性質に着目し、２つの役割を持つ選択信号受信解析手段を通話の呼の状態を監視する手段と、選択信号受信解析手段の入力・出力を切り替える手段と、特定の呼状態の変化があった時に、前記切替装置を切り替える制御を行う手段とを具備することで実現する。
【００２３】
【発明の実施の形態】
以下、図面を参照して本発明に係るディジタル通信装置の実施形態について説明する。ここで、図１は、本発明の一実施形態の基本構成を示すブロック図であり、請求項１に対応している。図１において、１はディジタル通信装置、２は交換機を含むディジタル通信回線、３はディジタル通信装置１の通信相手の端末（以下、相手端末という）である。
【００２４】
また、ディジタル通信装置１は以下に述べる構成からなっている。１０は送話する音声を入力するための送話音声入力手段、１１は送話音声入力手段１０から出力された音声信号をディジタル信号に変換して符号化する音声符号化手段である。また、１２は相手端末３が送信した符号化されたディジタル音声信号を復号して音声信号を出力する音声復号化手段、１３は音声復号化手段１２から出力された音声信号を音声にして出力する受話器である。
【００２５】
１４はディジタル通信装置１と相手端末３との間で授受されるディジタル信号のフレームを多重または分離し、信号チャネル（Ｂチャネル）と制御チャネル（Ｄチャネル）とを抽出する信号多重分離手段である。１５はディジタル通信回線２を介して相手端末３と、もしくは、図示せぬ交換機との間で、ディジタル信号のフレームを送受信するためのドライバ／レシーバである。ここで、通信回線インターフェイス手段は、上述した音声符号化手段１１，音声復号化手段１２，信号多重分離手段１４，ドライバ／レシーバ１５により構成される。
【００２６】
１６は送話音声入力手段１０またはダイヤルボタン１７から入力された通信相手の電話番号や、交換機および相手端末３との間で授受される呼制御信号に従って、各種制御を行う呼制御手段である。また、ダイヤルボタン１７は「０」〜「９」，「＊」，「＃」に対応するボタンを有すると共に、押下されたボタンに対応するＤＴＭＦ信号を発生して呼制御手段１６へ出力する。
【００２７】
１８は呼制御手段１６から出力される切替信号に従って、送話音声入力手段１０から入力された音声信号、または、音声復号化手段１２から出力された音声信号のいずれか一方を選択して出力する第１の切替手段である。１９は第１の切替手段１８から出力された音声信号に含まれるＤＴＭＦ信号を解析し、解析したＤＴＭＦ信号に対応したキー数字（０〜９，＊，＃）を示すデータ（以下、キー数字データという）を出力する選択信号解析手段である。
【００２８】
２０は呼制御手段１６から出力される切替信号に従って、選択信号解析手段１９から出力されたキー数字データを、呼制御手段１６または次に述べるキー数字処理手段２１のいずれか一方へ出力する第２の切替手段である。また、キー数字処理手段２１は、第２の切替手段２０から出力されたキー数字データに基づいて各種処理を行う。
【００２９】
次に上述した構成のディジタル通信装置の動作について、図２に示すフローチャートを参照して説明する。まず、上記ディジタル通信装置１に電源が投入されると、ディジタル通信装置１の各部において初期設定が行われる（ステップＳ１）。ここで、この初期設定時に、呼制御手段１６は、第１の切替手段１８に対して送話音声入力手段１０から出力される音声信号を選択信号受信解析手段１９へ出力するための切替信号を出力する。また、第２の切替手段２０に対しては、選択信号受信解析手段１９から出力されるキー数字データを呼制御手段１６へ出力するための切替信号を出力する。ここで、以下、上述した第１の切替手段１８および第２の切替手段２０の切替状態を送話側という。
【００３０】
上述した初期設定が終了すると、発呼が行われる前のいわゆる待機状態となり、選択信号受信解析手段１９は、第１の切替手段１８を介して送話音声入力手段１０から入力される音声信号を監視する。そして、第１の切替手段１８を介して送話音声入力手段１０から入力された音声信号が選択信号受信解析手段１９に供給されると、選択信号受信解析手段１９は、供給された音声信号に含まれるＤＴＭＦ信号（ここでは、通信相手の電話番号を示す）を解析し、対応するキー数字データを出力する（ステップＳ２）。そして、このキー数字データは第２の切替手段２０を介して呼制御手段１６へ出力される。
【００３１】
これにより、呼制御手段１６は、入力されたキー数字データに従って、信号多重分離手段１４およびドライバ／レシーバ１５を介してディジタル通信回線２に対し発呼を行った後（ステップＳ３）、図示せぬ交換機から応答信号が送信されるまで待機状態となる（ステップＳ４）。そして、上述した発呼に対して、相手端末３からディジタル通信回線２を介して応答信号が送信されてくると（ステップＳ４，ＹＥＳ）、呼制御手段１６は、相手端末３との通信回線を接続すると共に、第１の切替手段１８および第２の切替手段２０に対して切替制御を行う（ステップＳ５）。
【００３２】
すなわち、呼制御手段１６は、第１の切替手段１８に対して音声復号化手段１２から出力される音声信号を選択信号受信解析手段１９へ出力するための切替信号を出力する。また、第２の切替手段２０に対しては、選択信号受信解析手段１９から出力されるキー数字データをキー数字処理手段２１へ出力するための切替信号を出力する。ここで、以下、上述した第１の切替手段１８および第２の切替手段２０の切替状態を受話側という。
【００３３】
そして、これ以降、相手端末３から送信されてきた音声信号は、受話器１３と第１の切替手段１８を介して選択信号受信解析手段１９へ出力される。これにより、選択信号受信解析手段１９において、受信された音声信号にＤＴＭＦ信号が含まれていた場合、そのＤＴＭＦ信号に対応するキー数字データを出力する（ステップＳ６）。このキー数字データは、第２の切替手段２０を介してキー数字処理手段２１へ出力される。
【００３４】
キー数字処理手段２１では、第２の切替手段２０からキー数字データが供給されると、このキー数字データに基づく各種の処理を行う（ステップＳ７）。例えば、ディジタル通信装置１が、複数のキー数字データの組み合わせによって文字および数字からなるメッセージをやりとりする機能を持っている場合は、入力されたキー数字データを、所定の変換コード体系に従って文字列データに変換し、表示器に表示する。また、ディジタル通信装置１が留守番電話機能を有している場合は、入力されたキー数字データに従って、図示せぬ記憶装置に記憶されている伝言メッセージの再生や消去等の制御（いわゆる留守番電話における遠隔操作機能を実現するための制御）を行う。
【００３５】
以後、呼切断までの間、すなわち、呼制御手段１６に切断信号が入力されるまで、選択信号受信解析手段１９は、受信された音声信号に含まれるＤＴＭＦ信号に対応したキー数字データがキー数字処理手段２１へ出力される（ステップＳ８）。なお、上述した切断信号には、相手端末３から送られてくるものと、ディジタル通信装置１において、例えば図示せぬフックがオフされた時に発生するものや、送話音声入力手段１０から入力されるもの等がある。
【００３６】
そして、切断信号が呼制御手段１６に入力されると（ステップＳ８，ＹＥＳ）、呼制御手段１６は、第１の切替手段１８および第２の切替手段２０に対して、各々の切替状態を送話側に切り替えるための切替信号を出力する（ステップＳ９）。これにより、第１の切替手段１８および第２の切替手段２０の切替状態は、それぞれ送話側に切り替わり、選択信号受信解析手段１９は、次に送話音声入力手段１０から入力された音声信号が、第１の切替手段１８を介して供給されるまで待機する（ステップＳ２へ移行）。
【００３７】
なお、図２のステップＳ１〜Ｓ４の処理は、請求項７における通信開始時の発呼処理に対応し、ステップＳ５〜Ｓ９の処理は、請求項７における発呼処理後の、通信相手から送信されてきた音声信号の処理に対応する。
【００３８】
また、上述した動作説明では、第１の切替手段１８および第２の切替手段２０の切替状態を送話側から受話側に切り替えるタイミングを、呼制御手段１６が応答信号を受信した時としたが、この切り替えタイミングは、呼制御手段１６が発呼を行ってから（具体的には  ｓｅｔｕｐ信号を交換機へ送信する）、応答信号を受信するまでの間であれば、どのタイミングであってもよい。また、第１の切替手段１８および第２の切替手段２０の切替状態を受話側から送話側に切り替えるタイミングを、呼制御手段１６が切断信号を受信した時としたが、この切り替えタイミングは、交換機と切断信号をやりとりしている間であればどのタイミングであってもよい。
【００３９】
また、上述した説明では、呼制御手段１６は、送話音声入力手段１０から、通信相手の電話番号を示すＤＴＭＦ信号が入力された場合に発呼処理を行っていたが、ダイヤルボタン１７から通信相手の電話番号が入力された時に発呼処理を行うようにしてもよい。さらに、待機状態時において、通信相手からのディジタル通信装置１に対する接続要求に応じて、第１の切替手段１８および第２の切替手段２０の切替状態を送話側から受話側に切り替えるようにしてもよい。
【００４０】
次に、図１に示した送話音声入力手段１０およびキー数字処理手段２１の具体例について、図３から図８を参照して説明する。まず、図３は、送話音声入力手段１０として音声を入力するための送話器（例えばマイク）３０を用い、キー数字処理手段２１として受信電文表示手段３１を用いた場合の構成を示している。ここで、ユーザが送話器３０を用いて相手端末３に電話をかける場合、ユーザはＰＢダイヤラを使用することになる。
【００４１】
また、受信電文表示手段３１は、例えば液晶ディスプレイ等の表示器を具備すると共に、第２の切替手段２０から出力されたキー数字データを上記表示器に表示させる。なお、受信電文表示手段３１に、第２の切替手段２０から出力されたキー数字データを所定の変換コード体系に従って文字列データに変換する変換手段を具備し、この変換手段により変換された文字列データを上記表示器に表示させるようにしてもよい。
【００４２】
また、上述した表示器として、発信者番号通知サービス対応表示等に用いられるＬＣＤを共用するようにしてもよい。この場合、例えば表示内容の切り替えは、呼状態に応じて行えば良い。例えば、待機状態から、発呼または着呼して回線接続するまでの間は発信者番号通知サービスの表示を行うようにし、回線接続から回線切断までは、受信電文表示のように切り替えることで共用が可能である。
【００４３】
図３に示す構成における具体的な処理シーケンスを図４に示す。図４において、初期設定が行われた後、まず、ＰＢダイヤラから送話器３０を通して相手端末３の電話番号に対応するＤＴＭＦ信号が入力されると（図４中▲１▼）、そのＤＴＭＦ信号に対応するキー数字データが、選択信号受信解析手段１９から呼制御手段１６へ出力される（図４中▲２▼，図２のステップＳ２の処理に対応）。
【００４４】
これにより、呼制御手段１６は入力されたキー数字データ従って、ディジタル通信回線２に対し発呼を行い（図４中▲３▼，図２のステップＳ３の処理に対応）、相手端末３から応答信号が送信されてくると（図４中▲４▼，図２のステップＳ４でＹＥＳの場合に対応）、呼制御手段１６は、第１の切替手段１８および第２の切替手段２０に対して送話側から受話側へ切り替えるための切替制御を行う（図４中▲５▼，図２のステップＳ５の処理に対応）。
【００４５】
また、相手端末３との通信回線が接続された後、受信した音声信号にＤＴＭＦ信号が含まれていると（図４中▲６▼）、選択信号受信解析手段１９においてＤＴＭＦ信号に対応するキー数字データが受信電文表示手段３１へ出力される（図４中▲７▼，図２のステップＳ６の処理に対応）。これにより、受信電文表示手段３１では、入力されたキー数字データを文字列データ（文字によるメッセージ）に変換して表示器に表示する（図２のステップＳ７の処理に対応）。
【００４６】
そして、呼制御手段１６に切断信号が入力されると（図４中▲８▼，図２のステップＳ８でＹＥＳの場合に対応）、呼制御手段１６は、第１の切替手段１８および第２の切替手段２０に対して受話側から送話側へ切り替えるための切替制御を行い（図４中▲９▼，図２のステップＳ９の処理に対応）、送話器３０を通して次の通信相手の電話番号に対応するＤＴＭＦ信号が入力されるまで待機状態となる（図２のステップＳ２の処理に対応）。
【００４７】
ここで、図３の構成において、ダイヤルボタン１７を用いて相手端末３の電話番号が入力された場合の処理シーケンスを図５に示す。この場合、ダイヤルボタン１７において相手端末３の電話番号に対応するボタンが押下されると、押下されたボタンに対応するＤＴＭＦ信号が呼制御手段１６に直接入力されることになる（図５中▲２▼’）。なお、呼制御手段１６にＤＴＭＦ信号が入力された後の処理は、図４に示した処理シーケンスと同様であるため、説明を省略する。
【００４８】
次に、図６は、送話音声入力手段１０として内線アナログインタフェース３２を用い、キー数字処理手段２１として受信電文表示手段３１を用いた場合の構成を示している。ここで、内線アナログインタフェース３２は、アナログ端末接続口（例えばモジュラージャック等）を有し、このアナログ端末接続口にケーブルを介して接続された図示せぬ外部のアナログ端末（例えばアナログ電話機）と、本実施形態のディジタル通信装置との間で授受される信号を入出力する。
【００４９】
また、図７は、送話音声入力手段１０として内線アナログインタフェース３２を用い、キー数字処理手段２１として留守番機能制御手段３３（内部制御手段に相当）を用いた場合の構成を示している。ここで、留守番機能制御手段３３は、いわゆる留守番電話の操作を外出先から操作できるようにするものであり、例えばユーザが外出先からディジタル通信装置１に対して送信したＤＴＭＦ信号の内容に応じて、暗証番号の正誤の判断や、図示せぬ記憶装置に記憶された伝言メッセージの再生および消去等を制御するものである。
【００５０】
さらに、図８は、送話音声入力手段１０として送話器３０を用い、キー数字処理手段２１として留守番機能制御手段３３を用いた場合の構成を示している。
【００５１】
なお、上述した送話音声入力手段１０は、ディジタル通信装置１に具備させる機能に応じて、送話器３０または内線アナログインタフェース３２のいずれか一方を具備させても良いし、双方を予め具備させておき、手動あるいは自動で切り替えて用いるようにしても良い。ここで、送話器３０または内線アナログインタフェース３２の切り替えを自動的に行う方法としては、例えば、前述したアナログ端末接続口に接続検知センサを設けておき、この接続検知センサがアナログ端末接続口にアナログ端末が接続されたことを検知した時、内線アナログインタフェース３２から出力される信号を音声符号化手段１１へ出力し、接続検知センサがアナログ端末接続口にアナログ端末が接続されたことを検知できない時は、送話器３０から出力される信号を音声符号化手段１１へ出力するようにすればよい。
【００５２】
これと同様に、キー数字処理手段２１も、受信電文表示手段３１または留守番制御機能制御手段３３のいずれか一方を具備させても良いし、双方を予め具備させておき、手動あるいは自動で切り替えて用いるようにしても良い。ここで、受信電文表示手段３１または留守番制御機能制御手段３３の切り替えを自動的に行う方法としては、例えば、留守番機能ＯＮになっているか否かで切り替える（ＯＮの時、受信電文表示手段３１を用い、ＯＦＦの時、受信電文表示手段３１を用いる）ようにすれば良い。
【００５３】
さらに、図１，図３，図６〜図８に示すディジタル通信装置１の構成における、送話音声入力手段１０，音声符号化手段１１，音声復号化手段１２，受話器１３，信号多重分離手段１４，ドライバ／レシーバ１５，呼制御手段１６，ダイヤルボタン１７，第１の切替手段１８，選択信号受信解析手段１９，第２の切替手段２０，キー数字処理手段２１の機能を実現するためのプログラム、もしくは、図２のフローチャートに示す処理を実行するプログラムを、コンピュータ読み取り可能な記録媒体に記録し、この記録媒体に記録されたプログラムをコンピュータシステムに読み込ませて実行することにより、ディジタル通信を行うようにしてもよい。
【００５４】
ここで、上記「コンピュータシステム」とは、ＯＳや周辺機器等のハードウェアを含み、さらにＷＷＷシステムを利用している場合であれば、ホームページ提供環境（あるいは表示環境）も含むものとする。また、「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体もしくは伝送波）、その場合のサーバやクライアントとなるコンピュータシステム内部の揮発性メモリのように、一定時間プログラムを保持しているものも含むものとする。
【００５５】
また、上記プログラムは、前述した機能の一部を実現するためのものであっても良く、さらに前述した機能をコンピュータシステムに既に記録されているプログラムとの組み合わせで実現できるもの、いわゆる差分ファイル（差分プログラム）であっても良い。
【００５６】
【発明の効果】
以上説明したように、本発明によれば、通信開始時に入力された送話音声が選択信号受信解析手段へ供給されて、選択信号受信解析手段から出力されたキー数字に従って通信相手に対する発呼処理が行われ、発呼処理の後、通信相手から送信されてきた音声信号が選択信号受信解析手段に供給されて、選択信号受信解析手段から出力されたキー数字に応じて処理が行われるので、複数の選択信号受信解析手段を具備することなく、ユーザからの送話音声による相手番号入力機能と、受話音声による情報受信機能とを実現することができる。
【図面の簡単な説明】
【図１】本発明に係るディジタル通信装置の一実施形態の構成を示すブロック図である。
【図２】同実施形態の動作手順を示すフローチャートである。
【図３】同実施形態における送話音声入力手段およびキー数字処理手段の具体例を示すためのブロック図である。
【図４】図３におけるディジタル通信装置の処理シーケンスを説明するための説明図である。
【図５】図３におけるディジタル通信装置の処理シーケンスを説明するための説明図である。
【図６】同実施形態における送話音声入力手段およびキー数字処理手段の具体例を示すためのブロック図である。
【図７】同実施形態における送話音声入力手段およびキー数字処理手段の具体例を示すためのブロック図である。
【図８】同実施形態における送話音声入力手段およびキー数字処理手段の具体例を示すためのブロック図である。
【符号の説明】
１        ディジタル通信装置
２        ディジタル通信回線
３        相手端末
１０      送話音声入力手段
１１      音声符号化手段
１２      音声復号化手段
１３      受話器
１４      信号多重分離手段
１５      ドライバ／レシーバ
１６      呼制御手段
１７      ダイヤルボタン
１８      第１の切替手段
１９      選択信号受信解析手段
２０      第２の切替手段
２１      キー数字処理手段
３０      送話器
３１      受信電文表示手段
３２      内線アナログインタフェース
３３      留守番機能制御手段
【図１】
0003563297.tif 000002
【図２】
0003563297.tif 000003
【図３】
0003563297.tif 000004
【図４】
0003563297.tif 000005
【図５】
0003563297.tif 000006
【図６】
0003563297.tif 000007
【図７】
0003563297.tif 000008
【図８】
0003563297.tif 000009